(57)【要約】家具等に扉（Ａ）を取り付けるためのヒンジ（１０）であって、ヒンジは、ヒンジアーム（１１）と、複数の可動の接続レバー（１６、１８、２０、２３）及び７つの関節軸（１７、１９、２１、２２、２４、２５、２６）を含む関節システム（１５）によってヒンジアームに接続されたボックス（１４）と、ヒンジの閉止方向に作用するばね手段（２７）と、長手方向軸（ｌ）に従って直線的に可動の作動部材（３０）を有する減衰装置（２９）とを備える。減衰装置は、ヒンジアームの側壁（１１″）の間に少なくとも部分的に囲まれている。関節システムの複数の接続レバーのうちの１つのスラスト要素に接触するように、又は少なくとも前記ヒンジの閉止位置付近の範囲において、前記複数の接続レバーのうちの１つ若しくは前記ヒンジボックスと一体になるように、減衰装置の作動部材は、ヒンジボックスに面するヒンジアームの前端で延びることを特徴とする。
2021522431.tif 000002
【特許請求の範囲】
【請求項１】
家具等に扉（Ａ）を取り付けるためのヒンジ（１０）であって、
第１及び第２の側壁（１１″）を有し、前記家具の固定部（１２）又は扉（Ａ）に固定可能なヒンジアーム（１１）と、
前記家具の前記扉（Ａ）又は前記固定部（１２）に固定可能であって、複数の可動の接続レバー（１６、１８、２０、２３）及び７つの関節軸（１７、１９、２１、２２、２４、２５、２６）を含む関節システム（１５）によって前記ヒンジアーム（１１）に接続されたヒンジボックス（１４）と、
前記ヒンジの閉止方向に作用するばね手段（２７）と、
長手方向軸（ｌ）に従って直線的に可動の作動部材（３０）を有する減衰装置（２９）と、
を備え、
前記減衰装置（２９）は、前記ヒンジアーム（１１）の前記側壁（１１″）の間に少なくとも部分的に囲まれており、
前記関節システム（１５）の前記複数の接続レバー（１６、１８、２０、２３）のうちの１つのスラスト要素に接触するように、又は、少なくとも前記ヒンジの閉止位置付近の範囲において、前記複数の接続レバー（１６、１８、２０、２３）のうちの１つ若しくは前記ヒンジボックス（１４）と一体になるように、前記減衰装置（２９）の前記作動部材（３０）は、前記ヒンジボックス（１４）に面する前記ヒンジアーム（１１）の前端で延びる、
ことを特徴とする、ヒンジ（１０）。
【請求項２】
前記ヒンジアーム（１１）は、前記減衰装置（２９）用のハウジングシート（３２、４１）を有し、
前記ハウジングシート（３２、４１）は、少なくとも前記ヒンジアーム（１１）の前端で開き、前記減衰装置（２９）は、前記ハウジングシート（３２、４１）に取り付けられる、
ことを特徴とする、請求項１に記載のヒンジ（１０）。
【請求項３】
前記ハウジングシート（３２）は、前記ヒンジアーム（１１）の前記側壁（１１″）の間の中間壁（１１′）に形成されたキャビティ（３２）として適合され、
前記減衰装置（２９）は、取り外し可能なように前記ハウジングシート（３２）に配置されて固定されるように適合されたハウジング本体（３１）を有することを特徴とする、
請求項２に記載のヒンジ（１０）。
【請求項４】
前記減衰装置（２９）は、流体式線形タイプの制動器を含み、前記制動器は、流体用のチャンバ（３３）を規定する円筒（３０）を備え、前記円筒（３０）内において、前記円筒（３０）から突出するロッド（３５）を有するピストン（３４）は、スライド移動可能であることを特徴とする、請求項１から３のいずれか１項に記載のヒンジ（１０）。
【請求項５】
前記減衰装置の前記作動部材（３０）と前記制動器の前記円筒（３０）とは、一体的に作製されることを特徴とする、請求項４に記載のヒンジ（１０）。
【請求項６】
前記減衰装置の前記作動部材（３０）と前記制動器の前記円筒（３０）とは、互いに接続された別個の部品として構成されることを特徴とする、請求項４に記載のヒンジ（１０）。
【請求項７】
前記減衰装置の前記作動部材は、前記ピストンのロッド（３５）、又は前記ピストンのロッド（３５）に接続された別個の部材からなることを特徴とする、請求項４に記載のヒンジ（１０）。
【請求項８】
前記ハウジング本体（３１）は、前記ヒンジアーム（１１）の前記シート（３２）と共に、前記作動部材（３０）用のスライド装着を規定する半円筒形の中空形状を有し、
前記作動部材（３０）は、前記関節システム（１５）の前記接続レバー（１６、１８、２０、２３）のうちの１つと一体の前記スラスト要素に接触するように、又は、前記ヒンジボックス（１４）と一体の前記スラスト要素に接触するように、前記ハウジング本体（３１）から前方に突出している、
ことを特徴とする、請求項３に記載のヒンジ（１０）。
【請求項９】
前記スラスト要素は、前記ヒンジアーム（１１）の前端に関節接合された前記第１の接続レバー（１６）と一体的に接続されたクロスピン（３６）として構成され、
前記クロスピン（３６）は、前記ヒンジの閉止動作の終了部分の間に、前記作動部材（３０）の前面に作用する、
ことを特徴とする、請求項１から８のいずれか１項に記載のヒンジ（１０）。
【請求項１０】
前記スラスト要素は、前記第１の接続レバー（１６）の一部、又は前記第１の接続レバー（１６）に接続されたカム若しくは成形された要素からなることを特徴とする、請求項１から８のいずれか１項に記載のヒンジ（１０）。
【請求項１１】
前記ハウジング本体（３１）は、複数の弾性フック要素（３９、４０）を有し、
前記複数の弾性フック要素（３９、４０）は、前記ヒンジアーム（１１）内の前記ハウジングシート（３２）の対応する開口部にスナップ引掛かるように適合されて配置されている、
ことを特徴とする、請求項３又は８に記載のヒンジ（１０）。
【請求項１２】
前記減衰装置（２９）は、前記ヒンジアーム（１１）に取り外し可能に引掛かること、及び前記ヒンジアーム（１１）から外すことが可能である、
ことを特徴とする、請求項１１に記載のヒンジ（１０）。
【請求項１３】
前記ヒンジアーム（１１）は、前記ヒンジアーム（１１）の前端でのみ開放しているハウジングシート（４１）を有する、請求項２に記載のヒンジ（１０）。
【発明の詳細な説明】
【技術分野】
【０００１】
本発明は、家具等の扉用の減衰ヒンジに関し、具体的には、前記ヒンジの閉止動作を減衰させるために、減衰装置を備えるヒンジに関する。
【背景技術】
【０００２】
家具分野において、ヒンジによって回動できるように支持される扉を備える家具が提供される。このようなヒンジは、家具の本体に接続できる固定部と、扉に接続可能なボックスにより構成された可動部とを有する。これらの部品は、例えば、複数の接続レバーを含む関節システムによって、回動するように相互に関節接合されている。
【０００３】
ヒンジを閉止方向に作動させるために、ヒンジは、ばね手段、例えば、リーフばね又はワイヤばねを更に備える。
【発明の概要】
【発明が解決しようとする課題】
【０００４】
バネ手段の存在により、閉止位置において、扉が家具の本体にぶつかり、望ましくない騒音を引き起こす。
【０００５】
この問題を克服するために、ヒンジの閉止動作を緩衝するために、例えば、ヒンジの部品の１つに対する減衰装置を採用することについて、様々な提案がされている。そのような装置は、線形又は回転タイプであってもよく、破壊媒体として流体又はグリースを使用することができる。
【０００６】
特に、２つの接続ロッカーと４つの関節軸とを含む関節システムを備えるヒンジの場合、例えば、欧州特許出願公開第１１９９４３３号による、ヒンジの固定部の壁に流体作動式線形タイプの減衰装置を適用するものが知られている。当該装置は、扉又は扉に固定されたヒンジの可動部によって作動するように成形及び配置された作動部材を有する。
【０００７】
この解決方法はシンプルであるが、例えば、４つの接続レバーと７つの関節軸とを有する関節システムを備えるヒンジには適していない。なぜなら、当該関節システムの構成により、減衰装置をヒンジの固定部の壁に配置すると同時に、扉又は扉に固定されたヒンジの可動部によって作動することは不可能である。
【０００８】
このタイプのヒンジの場合、代わりに、例えば、国際公開ＷＯ２００６／０５３３６４号による、複数の接続レバーの１つに減衰装置を適用して、この接続レバーに隣接する第２の接続レバーによって作動部材を押すことができるようにするものが知られている。しかしながら、そのような解決方法は、家具の内部において、減衰装置の相当なスペース占有及び関節システムの構造上におけるより大きな複雑さを伴う。また、７つの関節運動軸を有するヒンジの全てのタイプに適用できるわけではない。
【０００９】
別の方法として、ヒンジの可動部に減衰装置を適用することによって、関節システムのレバーによって作動するものが提案されている。しかしながら、扉の内部における減衰装置の存在は、家具の通常の使用に妨げ及び支障となるため、望ましくない。
【００１０】
したがって、４つの接続レバー及び７つの関節軸を有するタイプのヒンジであって、特に、構造上の平易さ及びスペース占有において、上記欠点を克服することができる減衰装置を備えるヒンジが求められている。
【００１１】
したがって、本発明の目的は、家具等の扉用の４つの接続レバー及び７つの関節軸を有するタイプのヒンジを提供することであって、当該ヒンジは、線形タイプの減衰装置を備え、当該減衰装置は、シンプルな作動を有し、且つ、それを配置するために、ヒンジの標準構成に対して限られた修正が必要となる。
【００１２】
前記目的の範囲内で、本発明の１つの課題は、上記のような線形タイプの減衰装置を備える家具等の扉用のヒンジを提供することである。当該ヒンジは、家具の内部において、限られたスペース占有を有し、且つ、扉における追加の部材が存在することにより使用の妨げとはならない。
【００１３】
本発明の別の課題は、信頼性が高く、提供が比較的容易で、コスト的に競争力のある、家具等の扉用のヒンジを提供することである。
【課題を解決するための手段】
【００１４】
この目的、及び以下で更に明らかになるこれら及び他の目的は、家具等に扉を取り付けるためのヒンジによって達成される。当該ヒンジは、
第１及び第２の側壁を有し、家具の固定部又は扉に固定可能なヒンジアームと、
前記家具の扉又は固定部に固定可能であって、複数の可動の接続レバー及び７つの関節軸を含む関節システムによって前記ヒンジアームに接続されたボックスと、
ヒンジの閉止方向に作用するばね手段と、
長手方向軸に従って直線的に可動の作動部材を有する減衰装置と、
を備え、
前記減衰装置は、前記ヒンジアームの前記側壁の間に少なくとも部分的に囲まれており、
前記関節システムの前記複数の接続レバーのうちの１つのスラスト要素に接触するように、又は、少なくとも前記ヒンジの閉止位置付近の範囲において、前記複数の接続レバーのうちの１つ若しくは前記ヒンジボックスと一体になるように、前記減衰装置の前記作動部材は、前記ヒンジボックスに面する前記ヒンジアームの前端で延びる、
ことを特徴とする。
【００１５】
本発明の更なる特徴及び利点は、従属請求項に更に規定されている。
【００１６】
本発明の更なる特徴及び利点は、添付図面を参照しながら、家具用の減衰装置を備えるヒンジのいくつか好適であるが、排他的ではない実施形態について説明することによって更に明らかになるであろう。
【図面の簡単な説明】
【００１７】
【図１】ヒンジアームのキャビティに適用された減衰装置を有する、本発明の第１の実施形態に係るヒンジの斜視図である。
【図２】平面２−２における図１のヒンジの横断面図である。
【図３】ヒンジアームから減衰装置を外した、図１の詳細を示す拡大図である。
【図４】減衰装置が機能を実行し始めるヒンジの閉止角度における、図１のヒンジの縦断面図である。
【図５】ヒンジアームから外された、図１に示す減衰装置の斜視図である。
【図６】図５の減衰装置の下から見た図である。
【図７】ヒンジアームに減衰装置を適用した、本発明に係るヒンジの第２の実施形態の縦断面図である。
【発明を実施するための形態】
【００１８】
図１から図６は、全体として参照符号１０で示す本発明の第１の実施形態に係る家具に扉を取り付けるためのヒンジを示す。前記ヒンジは、ヒンジアーム１１を備えている。ヒンジアーム１１は、載置面を形成する家具の側壁１２に固定するか、又は、家具の前記側壁１２に適用することができる通常の別個の固定ベース１３によって、家具の別の固定部に固定することができる。
【００１９】
アーム１１は、２つの側壁１１″と中間壁１１′とを備えている。２つの側壁１１″は、実質的に互いに平行で間隔を置いて配置され、中間壁１１′は、２つの側壁１１″の間に挿入され、前記アームの長手方向軸に沿って延在し、好ましくは実質的にＣ字形の横断面を形成する。
【００２０】
ヒンジ１０は、ヒンジボックス１４を更に備えている。ヒンジボックス１４は、家具の可動部、例えば、扉Ａに固定することができ、関節システム１５によってヒンジアーム１１に接続されている。関節システム１５は、複数の接続レバーを含み、複数の接続レバーは、ヒンジが扉Ａの開放位置と閉止位置との間で移動することを可能にするように動くことができる。
【００２１】
ヒンジの逆取り付けも排除されない。すなわち、アーム１１が扉Ａ、又は家具の別の可動部に固定され、ボックス１４が家具の固定部又は側壁１２に固定される。
【００２２】
関節システム１５は、４つの接続レバー及び７つの関節軸を含むタイプであり、これにより、例えば、扉の１１０°以上の広い開放角度、並びに、例えば、特殊な形状を有する、又はガラス製などの扉の開放を可能にするために必要とされる扉の特定な動きを得ることができる。
【００２３】
特に、関節システム１５は、第１の接続レバー１６と第２の接続レバー１８とを備えている。第１の接続レバー１６は、第１の軸１７によって家具の扉に向けられるヒンジアーム１１の前端に関節接合されている。第２の接続レバー１８は、第２の軸１９によってヒンジアーム１１の前端に再び関節接合されている。第２の軸１９は、第１の軸１７から間隔を置いてヒンジアーム１１の後端の方向に配置されている。
【００２４】
好ましくは、ヒンジアーム１１の長さと、第１の軸１７と第２の軸１９との間の距離との間の比率が、例えば、４から８の間であるように構成される。
【００２５】
第１の接続レバー１６は、第１の軸１７に対して反対側の端部において、第３の接続レバー２０の第１の端部にある第３の軸２１によって前記第３の接続レバーに関節接合されている。第３の接続レバー２０は、反対側の端部において、ボックス１４の前部に配置された第４の軸２２によって前記ボックス１４に関節接合されている。
【００２６】
第２の接続レバー１８は、第２の軸１９に対して反対側の端部において、第４の接続レバー２３の第１の端部にある第５の軸２４によって前記第４の接続レバーに関節接合されている。第４の接続レバー２３は、反対側の端部において、ボックス１４の背部に配置された第６の軸２５によって前記ボックス１４に関節接合されている。
【００２７】
最後に、第１の接続レバー１６と第４の接続レバー２３とは、その中間ポイントにおいて第７の関節軸２６によって互いに関節接合されている。
【００２８】
ヒンジ１０は、ヒンジの閉止方向に作用するばね手段を更に備えている。当該ばね手段は、好ましくは、Ｃ字形であって、第１の接続レバー１６と一体に取り付けられたリーフばね２７を含む。前記ばね２７は、第３の接続レバー２０と一体であるカム２８に協働し、作用するアームを有する。
【００２９】
ヒンジは、長手方向軸に沿って直線的に移動することができる作動部材３０を有する減衰装置２９を更に備える。
【００３０】
本発明によれば、減衰装置２９は、ヒンジアーム１１の側壁１１″の間に少なくとも部分的に囲まれている。更に、減衰装置２９の作動部材３０は、少なくともヒンジの閉止位置付近の範囲において、ヒンジの関節システム１５の接続レバー１６、１８、２０、２３のうちの１つと一体のスラスト要素に接触するように、又は、ヒンジボックス１４と一体のスラスト要素に接触するように、ヒンジボックス１４に向かっているヒンジアーム１１の前端において延びている。
【００３１】
図１乃至図６に示す好ましい実施形態において、減衰装置２９は、ハウジング本体３１を備えている。ハウジング本体３１は、ハウジングシート又はキャビティ３２内に配置及び固定されるように成形され、ハウジングシート又はキャビティ３２は、ヒンジアーム１１の前端に設けられ、側壁１１″の間に囲まれている。より具体的には、キャビティ３２は、ヒンジアーム１１の中間壁１１′に設けられ、且つ前記アーム１１の前端において開放している。
【００３２】
好ましくは、作動部材３０の長手方向軸及びヒンジアーム１１の長手方向軸は、扉Ａの表面及び前記アーム１１の固定面に対して実質的に垂直の平面上に位置する。また、作動部材３０の長手方向軸とヒンジアーム１１の長手方向軸とは、実質的に互いに平行してもよく、又は、例えば、１°から２０°の間の角度を有するように傾斜してもよい。
【００３３】
減衰装置２９は、好ましくは、例えば、油、空気、またはグリースを使用する流体作動式線形タイプの制動器を更に備える。当該流体作動式線形タイプの制動器は、流体、特に油用のチャンバ３３を形成する円筒３０を有する。チャンバ３３の内部において、環状シーリングガスケットを有するピストン３４は、スライド移動することができる。
【００３４】
図示の実施形態において、減衰装置の作動要素３０と減衰装置の円筒とは重なっているか、または場合によっては一体的に設けられてもよい。しかしながら、それらが互いに接続された別個の部品として構成されることも排除されない。
【００３５】
制動器は、ピストン３４に接続されたロッド３５を更に備えている。前記ロッドは、ハウジング本体３１の後端に適切に設けられた保持シートと係合することができるように、前記円筒の後端の蓋の穴を通って円筒から突出している。更に、制動器をリセットするためのばねが設けられている。当該ばねは、例えば、ロッド３５と同軸であって、円筒の後蓋とハウジング本体３１との間に、又は円筒３０内に、ピストン３４と前記円筒３０の前端との間に配置される。
【００３６】
代替的に、制動器を反対に回転させることができる。円筒がアーム１１の後端に向け、ピストンのロッド３５がアーム１１の前端に向けて作動部材として作用するか、又は前記ロッドに接続された別個の作動部材が備えられる。
【００３７】
ハウジング本体３１は、好ましくは中空の半円筒形を有し、ヒンジアーム１１のシート３２と合わせて、全体として作動部材３０用のスライドシートを形成する。前述のように、作動部材３０は、ヒンジの関節システム１５の接続レバー１６、１８、２０、２３のうちの１つと一体のスラスト要素と接触するように、又は、ヒンジのボックス１４と一体のスラスト要素と接触するように、ハウジング本体３１から前方に突出している。
【００３８】
図１乃至図６に示す好ましい実施形態において、スラスト要素は、アーム１１の前端に関節接合された第１の接続レバー１６に一体的に接続されたクロスピン３６の形態である。ヒンジの閉止動作の終了部分の間に、すなわち、ボックス１４が、例えば、１５°から３０°の間に当たる開放位置からヒンジの完全閉止位置までの回動を実行するとき、ピン３６は、相互作用要素３０の前面に接触して作用し、減衰装置を圧縮することによって、前記ヒンジの閉止動作の減速を達成する。
【００３９】
代替として、スラスト要素は、関節システム１５の接続レバー１６、１８、２０、２３のうちの別の１つ、例えば、第２のレバー１８と一体化することができる。この場合、前記スラスト要素、及び／又は減衰装置の作動要素、及び／又は関節システムの全体が適切な形状を有する。
【００４０】
更に、ピンの代替としてのスラスト要素が排除されない。このようなスラスト要素は、第１の接続レバー１６自体の一部又は要素、例えば、レバー１６の横壁、又は前記レバー１６に接続され、一般に制動器を作動させることができるスラスト面を提供するように適切に成形、例えば、前記制動器の圧縮に対し特定の運動規則を与えるように成形されたカム若しくは他の要素によって構成されてもよい。
【００４１】
別の構成によれば、作動部材は、ハウジング本体３１から突出することなく、アーム１１の側壁１１″の間において延在することができる。スラスト要素は、制動器を圧縮するために、減衰装置のハウジングシートの前部開口部内で突出するように構成することができる。
【００４２】
前述のように、関節システムのレバーと一体のスラスト要素による制動器の作動の代替として、制動器は、例えば、ヒンジボックス１４の一部によって、又はヒンジボックス１４に一体的に接続された別個の要素によって、ヒンジボックス１４と一体化したスラスト要素によって作動することができる。
【００４３】
したがって、作動部材は、ヒンジの関節システムの接続レバーの１つによって、又はヒンジボックスによって直接的又は間接的に作動することができる。
【００４４】
図５及び図６に更に明確に示されているように、ヒンジアーム１１のシート３２の内に減衰装置２９を固定するために、ハウジング本体３１は、好ましくは、複数の弾性フック要素を有する。例えば、２つの後部弾性歯３９及び２つの弾性的に撓曲可能な横方向フック４０は、スナップアクションによってハウジングシート３２の対応する開口部に引掛かるように成形され、配置されている。
【００４５】
代替として、ハウジング本体３１は、ヒンジアーム１１に固定するための、別のタイプのクイック固定手段、例えば、回転可能及びスライド式のロック手段、バヨネットカップリングなどを備えることができる。
【００４６】
このようにして、シンプルな方法で減衰装置２９をヒンジアーム１１に引掛けたり、ヒンジアーム１１から外したりすることが可能であり、扉の重量及び寸法の関数として扉で得られるブレーキ効果を適合させることができる。
【００４７】
特に、各扉は少なくとも２つのヒンジによって回動できるように支持されているため、存在する全てのヒンジに減衰装置を適用することができる。従って、特に重い扉の場合に有用であるより高いブレーキ効果を達成するか、又は扉を支持するために設けられたヒンジのうちのいくつかにのみ減衰装置の適用を提供することが可能である。例えば、１つのヒンジには減衰装置が設置され、他の１つのヒンジには減衰装置が設置されないように、軽量な扉に十分な低減されたブレーキ効果を達成することができる。
【００４８】
減衰装置２９が適用されない場合、ヒンジアーム１１のハウジングシート３２を閉じるために、蓋（図示せず）を適用することが可能である。当該蓋は、前記アーム１１に取り外し可能な方法で固定することができる。
【００４９】
図７は、ヒンジアームに減衰装置が適用された、本発明に係るヒンジの第２の実施形態を示す。
【００５０】
具体的には、ヒンジアーム１１はハウジングシート４１を備えている。当該ハウジングシート４１は、前記アーム１１の前端でのみ開いており、内部に減衰装置が軸方向に挿入されている。
【００５１】
この場合、減衰装置は、ハウジング本体を含まなくてもよく、流体作動式線形制動器のみを備えてよい。
【００５２】
好ましくは、制動器は、円筒３０を備える。円筒３０は、作動部材と一致し、シート４１から前方に突出して、少なくともヒンジの閉止位置付近の範囲において、ヒンジの関節システム１５の接続レバー１６、１８、２０、２３のうちの１つと一体のスラスト要素と接触するか、又は、ヒンジボックス１４と一体のスラスト要素と接触する。
【００５３】
この場合、制動器は、アーム１１の前端からシート４１内に軸方向に挿入されるため、アーム１１の中間壁１１′には、減衰装置を挿入するための開口部が設けられていない。
【００５４】
本実施形態において、第１の実施形態を参照して説明した全てのバリエーション、特に、減衰装置の制動器、作動部材、並びにスラスト要素の構成及び配置を提供することが可能である。
【００５５】
実際に、シンプルな作動を有し、且つ、それを配置するために、ヒンジの標準構成に対して限られた変更が必要となる減衰装置を備える減衰ヒンジを提供することができる点で、本発明は意図された目的及び課題を達成することが明らかになっている。
【００５６】
更に、減衰装置は、家具の内部において限られたスペース占有を有し、扉において、使用を妨げるような追加要素は存在しない。
【００５７】
本発明に係るヒンジは、多くの修正及び変形が可能であり、その全ては、添付の特許請求の範囲内である。構成上の詳細は、更に技術的に同等の要素によって置き換えられてもよい。
【００５８】
実際に使用される材料及び使用可能な形状は、要求及び技術水準に応じて任意であってもよい。
【００５９】
本出願の優先権主張の基礎であるイタリア特許出願第１０２０１８０００００４９１９号の開示は、参照により本明細書に組み込まれる。
【００６０】
特許請求の範囲に記載されている技術的特徴の後に参照符号が付されている場合、それらの参照符号は、特許請求の範囲の明瞭性を高めることのみを目的として含まれているため、それらの参照符号による例によって特定された各要素の解釈に限定的な効果を与えることはない。
【図１】
2021522431.tif 000003
【図２】
2021522431.tif 000004
【図３】
2021522431.tif 000005
【図４】
2021522431.tif 000006
【図５】
2021522431.tif 000007
【図６】
2021522431.tif 000008
【図７】
2021522431.tif 000009
【国際調査報告】
2021522431.tif 000010
2021522431.tif 000011
2021522431.tif 000012